(57)【要約】【課題】使用者個々人の身体状態を示す多様な指標を積極的に活用することで、総体的に使用者個々人の身体に適合しながら健康に良い生活環境をつくることのできる空調装置および空調方法を提供する。【解決手段】温度を含む室内環境を測定するための室内環境センサ部１０と、使用者の身体状態を測定するため、個人の脈拍および／または皮膚温度および／または皮膚電気活動振幅を測定するための個人特性値受信部と１５、前記個人特性値受信部１５から入力されるデータに基づいて使用者の身体状態を評価する個人特性値を調べるため少なくともマイクロプロセッサを有する制御部２０と、前記制御部２０によって制御され、使用者の状態を速やかに改善させるため少なくとも圧縮機４４および／または室内ファン４１を駆動するための駆動部とを備えてなる。【選択図】　　　図１
2004125376.tif 000002
【特許請求の範囲】
【請求項１】
温度を含む室内環境を測定するための室内環境センサ部と、使用者の身体状態を測定するため、個人の脈拍および／または皮膚温度および／または皮膚電気活動振幅を測定するための個人特性値受信部と、
前記個人特性値受信部から入力されるデータに基づいて使用者の身体状態を評価する個人特性値を調べるため少なくともマイクロプロセッサを有する制御部と、
前記制御部によって制御され、使用者の状態を速やかに改善させるため少なくとも圧縮機および／または室内ファンを駆動するための駆動部と、
を備えてなることを特徴とする使用者の特性に合わせて運転される空調装置。
【請求項２】
前記個人特性値受信部は、空調機を調整する空調機のリモコンに設けられることを特徴とする請求項１に記載の使用者の特性に合わせて運転される空調装置。
【請求項３】
前記個人特性値受信部の少なくとも一つの測定点は、空調機の運転を開始するための運転開始ボタンおよび／または個人特性値に適合した快適運転を開始するための快適運転ボタンであることを特徴とする請求項２に記載の使用者の特性に合わせて運転される空調装置。
【請求項４】
前記個人特性値受信部は、使用者の身体が接触する、少なくとも３つの測定点に互いに離れて設けられることを特徴とする請求項１に記載の使用者の特性に合わせて運転される空調装置。
【請求項５】
前記個人特性値受信部は、空調機本体の外周に設けられることを特徴とする請求項１に記載の使用者の特性に合わせて運転される空調装置。
【請求項６】
前記個人特性値受信部は、前記空調機を調整するため前記空調機と連係されるコンピュータのマウスに設けられることを特徴とする請求項１に記載の使用者の特性に合わせて運転される空調装置。
【請求項７】
空調機の運転に用いられる情報を得るため、室内環境と使用者の身体状態を測定するための室内環境センサ部および個人特性値受信部と、
前記個人特性値受信部から入力されるデータから、使用者の身体状態の評価に用いられる個人特性値を調べるための、マイクロプロセッサを有する制御部と、前記制御部によって制御され、使用者の状態を速やかに改善させるための駆動部と、
を備えてなることを特徴とする使用者の特性に合わせて運転される空調装置。
【請求項８】
前記個人特性値受信部は、脈拍および／または皮膚温度および／または皮膚電気活動度を測定することを特徴とする請求項７に記載の使用者の特性に合わせて運転される空調装置。
【請求項９】
前記個人特性値は、皮膚温度および／または脈拍数および／または心拍変異度および／または皮膚電気活動度に応じて与えられる個別的な加重値を演算して求められることを特徴とする請求項７に記載の使用者の特性に合わせて運転される空調装置。
【請求項１０】
前記個人特性値は、皮膚温度および／または脈拍数および／または心拍変異度および／または皮膚電気活動度を三段階に区分されるそれぞれの加重値が与えられ、前記それぞれの加重値が合算されて求められることを特徴とする請求項７に記載の使用者の特性に合わせて運転される空調装置。
【請求項１１】
前記制御部は、演算された前記個人特性値によって空調機の運転されるべき室内温度および／または風向および／または風量で前記駆動部を制御することを特徴とする請求項７に記載の使用者の特性に合わせて運転される空調装置。
【請求項１２】
前記駆動部は、室内ファンと室内ファン駆動部および／または上下風向ベーンと上下風向駆動部および／または左右風向ベーンと左右風向駆動および／または圧縮機と圧縮機駆動部を含むことを特徴とする請求項７に記載の使用者の特性に合わせて運転される空調装置。
【請求項１３】
使用者の脈拍数および／または皮膚温度および／または皮膚電気活動度のデータを測定するステップと、
前記データに基づいて皮膚温度および／または脈拍数および／または心拍変異度および／または皮膚電気活動振幅に応じた加重値を演算するステップと、
前記加重値のそれぞれに基づいて使用者の個人特性値を定量的に計算するステップと、
前記それぞれの個人特性値によってそれぞれ異なるようにして使用者の身体状態が速やかに改善されるように空調機を運転するステップと、
を含むことを特徴とする使用者の特性に合わせて運転される空調方法。
【請求項１４】
前記加重値は、三段階に区分されることを特徴とする請求項１３に記載の使用者の特性に合わせて運転される空調方法。
【請求項１５】
前記個人特性値は、それぞれの加重値を合算して求められることを特徴とする請求項１３に記載の使用者の特性に合わせて運転される空調方法。
【請求項１６】
使用者の身体状態を改善するように空調機が運転されてから、一定の時間経過後、個人の特性を再検出して空調機を他の状態に運転することを特徴とする請求項１３に記載の使用者の特性に合わせて運転される空調方法。
【請求項１７】
空調機の使用者の身体状態を示すデータを測定するステップと、
前記データに基づいて使用者の現在の個人特性値を演算するステップと、
演算された前記個人特性値に応じてより速やかに前記使用者の身体状態を改善するように空調機を運転するステップと、
を含むことを特徴とする使用者の特性に合わせて運転される空調方法。
【請求項１８】
前記使用者の身体状態を示すデータは、使用者の皮膚温度および／または使用者の脈拍数および／または使用者の皮膚電気活動度であることを特徴とする請求項１７に記載の使用者の特性に合わせて運転される空調方法。
【請求項１９】
前記個人特性値は、前記データに基づいて計算される皮膚温度および／または心拍変異度および／または皮膚電気活動度によって段階別に選定されるそれぞれの加重値の和であることを特徴とする請求項１７に記載の使用者の特性に合わせて運転される空調方法。
【請求項２０】
前記データは、使用者身体の互いに異なった３つの測定点を測定して得られることを特徴とする請求項１７に記載の使用者の特性に合わせて運転される空調方法。
【発明の詳細な説明】
【０００１】
【発明の属する技術分野】
本発明は、空調装置および空調方法に関し、より詳しくは、使用者個々人の特性値に合わせて適切に動作し、使用者個々人の状態に最適の生活環境を空調装置によって自動的に調節することができる、使用者個々人の特性に合わせて運転される空調装置および空調方法に関する。
【０００２】
【従来の技術】
従来、一般の空調装置および空調方法は、使用者の漠然たる希望の室内温度および湿度を目標値に指定されるようにし、指定された温度および湿度に至る方向に空調装置が運転されるようになっている。
【０００３】
このような一般の空調装置の運転において、前記指定された目標値は、使用者の身体・環境に適合しない温度である場合もあり得る。詳しくは、専門的な知識を有しない一般の使用者は、適合化された温度、湿度、風量および風向の状態がどのような状態であるかを正確に知ることができない。また、前記指定された目標値の温度または湿度が、高すぎるか低すぎると、健康に良くない影響を与えるという問題がある。
【０００４】
【発明が解決しようとする課題】
本発明は、上記の問題点を解決するためになされたもので、本発明の目的は、使用者の身体状態を定量的に測定・確認することで、使用者の現在身体状態に適合した生活環境をつくることのできる空調装置および空調方法を提供することにある。
【０００５】
本発明の他の目的は、使用者個々人の身体状態を示す多様な指標を積極的に活用することで、総体的に使用者個々人の身体に適合しながら健康に良い生活環境をつくることのできる空調装置および空調方法を提供することにある。
【０００６】
【課題を解決するための手段】
本発明の一側面によれば、本発明の使用者の特性に合わせて運転される空調装置は、少なくとも温度を含む室内環境を測定するための室内環境センサ部と、使用者の身体状態を測定するため、使用者の脈拍数および／または皮膚温度および／または皮膚電気活動振幅を測定するための個人特性値受信部と、前記個人特性値受信部から入力されるデータに基づいて使用者の身体状態を評価する個人特性値を調べるため少なくともマイクロプロセッサを有する制御部と、前記制御部によって制御され、使用者の状態を速やかに改善させるため少なくとも圧縮機および／または室内ファンを駆動するための駆動部とを備えることを特徴とする。
【０００７】
本発明の他の側面によれば、本発明の使用者の特性に合わせて運転される空調装置は、空調機の運転に用いられる情報を得るため、室内環境と使用者の身体状態を測定するための室内環境センサ部および個人特性値受信部と、前記個人特性値受信部から入力されるデータから、使用者の身体状態の評価に用いられる個人特性値を調べるため少なくともマイクロプロセッサを有する制御部と、前記制御部によって制御され、使用者の状態を速やかに改善させるための駆動部とを備えることを特徴とする。
【０００８】
本発明のまた他の側面によれば、本発明の使用者の特性に合わせて運転される空調方法は、使用者の脈拍数および／または皮膚温度および／または皮膚電気活動度のデータを測定するステップと、前記データに基づいて皮膚温度および／または脈拍数および／または心拍変異度および／または皮膚の電気活動振幅に応じた加重値を演算するステップと、前記加重値のそれぞれに基づいて使用者の個人特性値を定量的に計算するステップと、前記それぞれの個人特性値によってそれぞれ異なるようにして使用者の身体状態が速やかに改善されるように空調機を運転するステップとを含むことを特徴とする。
【０００９】
本発明のさらに他の側面によれば、本発明の使用者の特性に合わせて運転される空調方法は、空調機の使用者の身体状態を示すデータを測定するステップと、前記データに基づいて使用者の現在の個人特性値を演算するステップと、演算された前記個人特性値に応じてより速やかに前記使用者の身体状態を改善するように空調機を運転するステップとを含むことを特徴とする。
【００１０】
本発明によれば、使用者の身体反応および身体特性に合わせて一層適合化されるように速やかに空調機を運転することができる効果が得られる。
【００１１】
【発明の実施の形態】
以下、本発明を具体化した実施例を添付の図面に基づいて説明するが、本発明の実施例は、本発明の思想を説明するための一例にすぎず、本発明はこれによって限定するものではない。
【００１２】
図１は、本発明に係る使用者の特性に合わせて運転される空調装置のブロック図である。
同図に示したように、本発明の空調装置は、室内温度および使用者個々人の身体状態を示す特性値を測定するための感知部と、室内温度や風量などを個人の特性値に合わせて調整するための駆動部と、前記感知部で測定された外部条件に合わせて前記駆動部を制御するための制御部とで構成される。
【００１３】
前記各部の構成について説明すると、前記感知部は、室内の温度を測定するための室内温度センサ部１０と、使用者個々人の特性値を測定するための個人特性値受信部１５とを有する。また、前記駆動部は、風量を調整するための室内ファン４１と、前記室内ファン４１を駆動するための室内ファン駆動部３１と、上下方向への風向を調整するための上下風向ベーン４２と、前記上下風向ベーン４２を調整するための上下風向駆動部３２と、左右方向に風向を調整するための左右風向ベーン４３と、前記左右風向ベーン４３を調整するための左右風向駆動部３３と、冷房能力を調整するための圧縮機４４と、前記圧縮機４４を調整するための圧縮機駆動部３４とを含む。なお、冷房能力は、空調機内の膨張バルブによって制御することもできる。
【００１４】
また、前記制御部２０は、少なくとも内部にマイクロプロセッサを有する制御基板が適用される。
【００１５】
なお、前記室内温度センサ部１０は、乾湿球温度計が使用されているため、温度だけでなく湿度を確認することもでき、全体として室内環境を感知することもできる。
【００１６】
上記の構成による本発明の作動については、個人特性値受信部１５を通じて使用者の人体に関する所定の情報が入力される。また、前記使用者の身体に関する情報を用いて使用者の特性値を把握し、制御部２０によって特性値に合わせて空調装置の駆動部が制御される。このとき、室内温度センサ部１０によって入力される室内温度情報は、現在室内環境に関する情報として制御部２０に送られ、前記制御部２０によって駆動部の各構成要素を積極的に制御するようになる。
【００１７】
その他、使用者の身長や背丈に関する情報が予め入力されているか、または、所定のセンサで感知された情報によって風向を調整することもできる。
【００１８】
前記室内温度センサ部１０によって送られる室内環境の情報としては、少なくとも温度に関する情報が含まれ、さらには、乾湿球温度に従う湿度情報などが含まれることもできる。特に、前記室内温度センサ部１０は、室内温度だけでなく、室内環境を示す湿度、風量、風向などの全ての情報の測定装置を含むことができる。この時には、室内温度センサ部１０を室内環境センサ部と称することもできる。
【００１９】
なお、前記個人特性値受信部１５で個人の特性値を測定するための使用者の身体に関する情報としては、使用者の脈拍、皮膚温度、皮膚電気活動度などを基準とし、体の３つの測定点を測定することが好ましい。しかし、２つまたは１つの測定点を測定するとしても本発明の根本的な効果は変わらず、但し、信頼性の面で差異がある。
【００２０】
前記室内温度センサ部１０は、空調機の室内空気吸入口側に設けられ、より正確な室内温度を検知し得るようにする。
【００２１】
また、前記上下風向ベーン４２および左右風向ベーン４３は、風の方向を回転させるか適切に誘導するためのものであるが、風の方向を切り替えることのできるものであれば、ベーンと異なった構造のものであっても良い。
【００２２】
図２は、本発明に係る個人特性値受信部の第１形成例を説明する図である。
同図に示したように、個人特性値受信部１５が必要とする３測定点の受信部は、リモコンの背面に２つ、リモコンの前面に１つを設けることができる。
【００２３】
具体的に、使用者の脈拍を正確に測定するため、リモコンの背面に第１のセンシング部１５１および第２のセンシング部１５２を設ける。また、残り１つの測定点は、リモコンの前面に設けられている運転開始ボタン１５３および／または快適空調ボタン１５４となり得る。
【００２４】
前記運転開始ボタン１５３に個人特性値受信部１５が形成されると、リモコンの操作時に、常に使用者の個人特性値を自動に測定して使用者の個人特性値に合わせて運転されるようになる。また、前記快適空調ボタン１５４に個人特性値受信部１５が形成されると、使用者が空調機を快適運転しようとする時、快適空調ボタン１５４を押すことで使用者の脈拍、皮膚温度、皮膚電気活動度などをとることができる。但し、前記運転開始ボタン１５３と快適運転ボタン１５４との両方に個人特性値受信部１５が形成されている場合は、空調機の起動時に運転開始ボタン１５３を押すことで運転が可能となるだけでなく空調機の稼動が開始された後は、快適運転ボタン１５４を押すことによっても快適運転で空調機を稼動することができる。
【００２５】
また、前記リモコンの背面に設けられる第１のセンシング部１５１および第２のセンシング部１５２は、リモコンの背面に指が置かれる方向に一列に形成されるようにし、使用者がリモコンを握ると、手軽に個人特性値の測定が行われ反映される快適運転が可能となる。
【００２６】
但し、個人特性値受信部１５は、リモコンの背面に設けられる第１のセンシング部１５１および第２のセンシング部１５２と一列で配列される、また他のリモコンの第３のセンシング部となることができるが、本発明の実施には何等影響を与えない。
【００２７】
図３は、本発明に係る個人特性値受信部の第２形成例を説明する図である。
同図は、空調機本体の正面に設けられる一体型感知部１５５が示されている。前記一体型感知部１５５には、少なくとも３つ以上の個人特性値受信部１５が設けられ、一層信頼性のある感知が行われるようにする。
【００２８】
また、前記一体型感知部１５５は、人の掌の形状をすることで、使用者がより便利にとるようにすることが好ましい。また、使用者の便利性を図るため、空調機の外周に突出したバー形状とすることもできる。このようなバー形状のものにおいても、３つの測定点に個人特性値受信部１５を形成し、使用者の身体状況を信頼性良く測定し得るようにする。また、前記一体型感知部１５５は、空調機の前面だけでなく、側面または背面に形成されても良い。
【００２９】
図４は、本発明に係る個人特性値受信部の第３形成例を説明する図である。
同図に示したように、空調機と連結されるコンピュータが設けられ、前記コンピュータによって空調機の動作が制御されるようになっている。コンピュータで空調機を制御する場合、コンピュータのマウスの上面の少なくとも３つの測定点に使用者の特性値が感知できる個人特性値受信部１５を形成することができる。前記個人特性値受信部１５は、マウスの第１の受信部１５６、マウスの第２の受信部１５７およびマウスの第３の受信部１５８で構成することができる。
【００３０】
マウスによる空調機の制御は、マウスが一体にコンピュータと連係され、このコンピュータの制御によって空調機の制御が行われる点で相違点があり、空調機の全般的な制御においては図２および図３に示されているものと同様である。
【００３１】
図５は、本発明に係る使用者の特性に合わせて運転される空調方法を説明するためのフローチャートである。
同図に示したように、本発明による使用者の特性に合わせて運転される空調方法は、先ず、個人特性値受信部１５によって個人の特性値を判断し得るデータが検出される（Ｓｔ１０１）。
【００３２】
なお、個人特性値受信部１５からは、少なくとも個人の脈拍および／または皮膚温度および／または皮膚電気活動度がデータとして得られる。次いで、前記データは、制御部（図１の２０）に伝達され、個人特性値の全体的な演算が行われる。
【００３３】
以下、個人特性値の加重値が演算されるステップを詳細に説明する。
先ず、測定されたデータのうちの皮膚温度によって、皮膚温度が高い状態と皮膚温度が低い状態と皮膚温度が中間である状態とに区分する。このような区分によってそれぞれＡＨ（皮膚温度が高い状態）、ＡＭ（皮膚温度が中間の状態）、ＡＬ（皮膚温度が低い状態）に分けて個人特性値を判断し得る１つの加重値として作用するようにする（Ｓｔ１０２）。
【００３４】
なお、使用者の皮膚温度と空調機の運転状態との関係については、皮膚温度が高い時は、空調機を室内温度を低くするように運転することで皮膚温度を下げる必要がある。また、皮膚温度が低い時は、空調機を室内温度を下げるように運転する必要がないか暖房を行う必要がある。また、皮膚温度が中間の時は、使用者が快適に感じる状態で、空調機の運転が不要である。
【００３５】
上記のような皮膚温度による空調機の運転状態が判断された後は、使用者の脈拍数によって、脈拍が速い状態、脈拍が遅い状態および脈拍が中間の状態に区分する。このような区分によってＢＨ（脈拍が速い状態）、ＢＬ（脈拍が遅い状態）およびＢＭ（脈拍が中間の状態）に分けて個人特性値を判断する。詳しくは、脈拍に応じて上記のそれぞれの状態において加重値を異にして適用することで、個人特性値を判断し得る１つの加重値として作用するようにする（Ｓｔ１０３）。
【００３６】
なお、脈拍数による個人特性値の変化については、脈拍の速い場合は、周辺の温度が高いか、使用者がストレスなどで血圧などが上昇して暑さを感じている状態で、脈拍に応じた加重値によって空調機が運転されることが好ましい。
【００３７】
上記のように脈拍数による個人特性値の変化が空調機の運転に反映された後は、使用者個々人の脈拍から心拍変異度を計算して、ＣＨ（心拍変異度が高い状態）、ＣＬ（心拍変異度が低い状態）、ＣＭ（心拍変異度が中間の状態）に分けて心拍変異度による個人特性値の反映を判断する。詳しくは、心拍変異度に応じて上記のそれぞれの状態において加重値を異にして適用することで、個人特性値を判断し得る１つの加重値として作用するようにする（Ｓｔ１０４）。
【００３８】
上記の心拍変異度の判断については、図６に示された心拍変異度のスペクトルによって詳細に説明される。
【００３９】
図６に示したように、心拍変異度のスペクトルは、水平軸が周波数領域（Ｈｚ）で、垂直軸がパワー（Ｐｏｗｅｒ）である。心拍変異度のスペクトルを分析し、０．１５Ｈｚを基準にして高周波領域と低周波領域とに区分される。前記高周波領域は、交感神経活動の影響を受ける区間であり、前記低周波領域は、副交感神経活動の影響を受ける区間である。ちなみに、交感神経は、副交感神経とともに自律神経系を形成し、分泌腺・血管・内臓などを支配する神経であって、ストレスを受けるなどで精神の興奮された状態を意味するため、高周波領域のパワー値が高いと、使用者が不快に感じている状況で、室内温度が低く制御する必要がある。また、副交感神経は、交感神経とともに自律神経系を構成する神経であって、興奮すると末端からアセチルコリンを分泌して心臓のはたらきの抑制、消化器のはたらきの促進などの作用をし、緊張のない状態を意味するため、室内温度を低く制御する必要がないか、室内温度を上げるように制御する必要がある。
【００４０】
好ましくは、前記高周波領域のパワー値に対する低周波領域のパワー値を演算し、その値が高いほど使用者が暑さを感じるため、室内温度を低く制御する。ちなみに、心拍変異度による個人特性値の反映において、高周波領域のパワー値に対する低周波領域のパワー値を演算し、その演算値を３つの段階に分けてそれぞれの段階別に互いに異なった加重値が与えられるようにする。
【００４１】
なお、前記心拍変異度によっては個人のストレス状態を数値で示すことのできる効果が得られ、室内の客観的な環境による身体反応とは異なり、個人の内的要因による身体反応を調べて用いることができる。
【００４２】
上記のような心拍変異度による加重値が反映された後は、皮膚電気活動度による個人の特性値の反映を、ＤＨ（皮膚電気活動振幅が大きい状態）、ＤＬ（皮膚電気活動振幅が小さな状態）およびＤＭ（皮膚電気活動振幅が中間の状態）に分けて行うことで、互いに異なった加重値が個人特性値に反映される。皮膚電気活動度と室内環境の制御とについては図７に基づいて詳細に説明する。
【００４３】
図７に示したように、皮膚電気活動のうち皮膚伝導反応を分析する単位としては、反応の大きさを示す皮膚電気活動振幅（Ｈ）と、３つの時間測定値である潜在期、上昇期、回復期を使用することができる。
【００４４】
前記皮膚電気活動振幅（Ｈ）は、室内温度が上がって汗腺の分泌が促進されると皮膚伝導活動の振幅が増大し、室内温度が下がって汗腺の分泌が低下すると皮膚伝導活動の振幅が減少するようになる。
【００４５】
このような結果から、皮膚電気活動振幅（Ｈ）が大きな場合（ＤＨ）は、室内温度を低く制御する必要があり、反対に皮膚電気活動振幅（Ｈ）が小さな場合（ＤＬ）は、室内温度を低く制御する必要がない。
【００４６】
このように個人特性値を演算するためのそれぞれの加重値が得られる必要があるが、上記のそれぞれの加重値の測定過程と演算過程とは、逆順となることもできる。但し、心拍変異度の計算は、個人の脈拍を基準にして測定される値であるため、脈拍の測定後に行われる。
【００４７】
個人特性値は、上記のそれぞれの加重値を一定の演算を用いて求められる（Ｓｔ１０６）。
【００４８】
具体的には、前記個人特性値は、皮膚温度、脈拍数、心拍変異度スペクトルおよび皮膚電気活動度によって選定されたそれぞれの値を加算して求めることができる。言い換えると、次の式（１）のようになる。
【００４９】
個人特性値＝Ａ？＋Ｂ？＋Ｃ？＋Ｄ？　　　　　　　・・・（１）
【００５０】
前記式（１）のように、それぞれの測定されたデータによって選定された値を加算して求められる。しかし、前記個人特性値が必ず上述の式（１）によってのみ求められるのではなく、各要素の特性が反映され得るそれぞれの加重値が別に与えられ、加算されたり、減算されたり、割り算されたりすることで求めることもできる。
【００５１】
前記個人特性値が定量的に算出された後は、上記の個人特性値によって空調機の運転が行われる（Ｓｔ１０７）。算出された個人特性値による空調機の運転は、次の式（２）で行われる。
【００５２】
冷房時の室内温度＝Ｗ１＋個人特性値＊Ｘ１
冷房時の室内風量＝Ｗ２＋個人特性値＊Ｘ２
冷房時の左右風向＝Ｗ３＋個人特性値＊Ｘ３
冷房時の上下風向＝Ｗ４＋個人特性値＊Ｘ４　　　　　　　・・・（２）
【００５３】
但し、上記の式（２）において係数値は、使用者個々人の状態や季節によって変化することができる。
【００５４】
前記式（２）は、単一の空調機に冷房機のみが設けられている場合に適用されている。しかし、空調機内に温熱機をも備えている場合は、下記の式（３）のように駆動されることができる。
【００５５】
冷房時の室内温度＝Ｗ１＋個人特性値＊Ｘ１
暖房時の室内温度＝Ｙ１＋個人特性値＊Ｚ１
冷房時の室内風量＝Ｗ２＋個人特性値＊Ｘ２
暖房時の室内風量＝Ｙ２＋個人特性値＊Ｚ２
冷房時の左右風向＝Ｗ３＋個人特性値＊Ｘ３
暖房時の左右風向＝Ｙ３＋個人特性値＊Ｚ３
冷房時の上下風向＝Ｗ４＋個人特性値＊Ｘ４
暖房時の上下風向＝Ｙ４＋個人特性値＊Ｚ４
【００５６】
但し、上記の式（３）において係数値は、使用者個々人の状態や季節によって変化することができる。例えば、予め入力される使用者の背丈が高い時は、上下風向ベーンを調整して風向を上方に多く調整することもできる。また、急な冷却が必要となる時は圧縮を多く駆動するとともに、風量を増大させるため冷却ファンを多く駆動するようにすることもできる。なお、前述の具体例に制限されず、駆動部の制御方法は種々あり得る。
【００５７】
式（２）および式（３）について詳述すると、個人特性値の計算過程（Ｓｔ１０６）において皮膚温度、脈拍数、心拍変異度、皮膚電気活動度による加重値のそれぞれが反映される特定の計算式によって個人特性値が定量的に計算される。また、前記個人特性値に一定の係数値（Ｘ？、Ｚ？）が掛け算された後、他の一定の係数値（Ｗ？、Ｙ？）を加算して、直接適用され得る空調機の駆動値が算定される。
【００５８】
なお、前記種々の係数値が使用者によって積極的に調整され得るようにすることで、個人の特性に合わせて速やかに空調機を運転することができる。
【００５９】
上記のように使用者個々人の特性値に合わせて空調機が駆動された後は、一定の周期または使用者の選択によって個人特性値が再検出され、即ち、使用者の脈拍が再度測定されるなどで、個人特性値が再算出され、空調機が異なった環境において駆動されるようにする。使用者が希望しないか、個人特性値の再算定が不要な場合は、そのまま使用者の特性に合わせた空調方法が終了する（Ｓｔ１０８）。
【００６０】
【発明の効果】
以上のように、本発明によれば、使用者個々人の特性値を定量的に算出することで、前記個人特性値に応じて空調機が運転されるため、使用者の状態をより速やかにかつ効果的に改善することができる効果を奏する。
【００６１】
また、一般に与えられる温度および湿度データに依存せずに、同じ環境においても使用者個々人によって感じられる程度や状態が異なるという点を鑑みて、使用者の感じる暑さまたは寒さの程度を、使用者個々人の身体反応からとることによって、使用者個々人の状態に一層適合化した、積極的な空調機の運転を行うことができる効果が得られる。
【図面の簡単な説明】
【図１】本発明に係る使用者の特性に合わせて運転される空調装置のブロック図である。
【図２】本発明に係る個人特性値受信部の第１形成例を説明する図である。
【図３】本発明に係る個人特性値受信部の第２形成例を説明する図である。
【図４】本発明に係る個人特性値受信部の第３形成例を説明する図である。
【図５】本発明に係る使用者の特性に合わせて運転される空調方法を説明するためのフローチャートである。
【図６】心拍変異度のスペクトルを説明する図である。
【図７】皮膚電気活動度を示す分析図である。
【符号の説明】
１０…室内温度センサ部
１５…個人特性値受信部
２０…制御部
３１…室内ファン駆動部
３２…上下風向駆動部
３３…左右風向駆動部
３４…圧縮機駆動部
４１…室内ファン
４２…上下風向ベーン
４３…左右風向ベーン
４４…圧縮機
１５１…第１のセンシング部
１５２…第２のセンシング部
１５３…運転開始ボタン
１５４…快適空調ボタン
１５５…一体型感知部
１５６…マウスの第１の受信部
１５７…マウスの第２の受信部
１５８…マウスの第３の受信部
【図１】
2004125376.tif 000003
【図２】
2004125376.tif 000004
【図３】
2004125376.tif 000005
【図４】
2004125376.tif 000006
【図５】
2004125376.tif 000007
【図６】
2004125376.tif 000008
【図７】
2004125376.tif 000009